(57)【要約】      （修正有）【課題】簡単な構造でありながら、調節つまみの紛失を防止することができるようなプロジェクター台の高さ調節装置を提供する。【解決手段】垂直脚３を構成する入れ子方式の第１筒６・第２筒７と、これら２本の筒を位置決めする調節つまみ機構を有する。第１筒６は、少なくとも１つの穴６１と、調節つまみ取付台６３と、調節つまみ取付台６３から突出する突出筒を有する。突出筒の先端は小径となっており、第２筒７は複数の選択可能な穴７１を有する。調節つまみ機構は、調節つまみ本体と、つまみ本体と垂直脚を繋ぐ軸部を有し、軸部は段部を形成している。段部と突出筒先端との間にばねが収容されている。軸部は第１筒６の穴と第２筒７の穴を貫通可能である。【選択図】図４
0003187562.tif 000002
【実用新案登録請求の範囲】
【請求項１】
プロジェクターの載置台（２）と、この載置台（２）を垂直方向に支持する垂直脚（３）を有するプロジェクター台（１）の高さ調節装置であって、
前記垂直脚（３）を構成する入れ子方式の第１筒（６）・第２筒（７）と、これら２本の筒を位置決めする調節つまみ機構（８）を有し、
前記第１筒（６）は、少なくとも１つの穴（６１）と、調節つまみ取付台（６３）と、前記調節つまみ取付台から突出する突出筒（６５）を有し、前記突出筒（６５）の先端（６６）は小径となっており、前記第２筒（７）は複数の選択可能な穴（７１）を有し、
前記調節つまみ機構（８）は、調節つまみ本体（８１）と、前記つまみ本体（８１）と前記垂直脚（３）を繋ぐ軸部（８２）を有し、前記軸部（８２）は段部（８４）を形成しており、
前記段部（８４）と前記突出筒先端（６６）との間にばね（８５）が収容されており、
前記軸部（８２）は前記第１筒（６）の穴（６１）と第２筒（７）の穴（７１）を貫通可能であること
を特徴とするプロジェクター台（１）の高さ調節装置。
【請求項２】
前記調節つまみ取付台（６３）は、箱型であり、第１筒（６）に固着された基礎台（６２）にかぶせてネジ（６４）で取り付けられたものである請求項１記載の装置。
【請求項３】
前記第１筒（６）と前記第２筒（７）は共に四角筒である請求項１又は２記載の装置。
【考案の詳細な説明】
【技術分野】
【０００１】
本考案は、プロジェクターを載置する台の高さ調節装置に関する。
【背景技術】
【０００２】
プロジェクターは画像や映像を大型スクリーンなどに投影することにより表示するものであり、適当な場所や位置に配置するために専用の台が用いられることが多い。小型で容易に持ち運ぶことができるとともに、容易に設置し、折り畳むことができる簡易型のものが市販されている。
【０００３】
台の脚の長さを調節して全体の高さ調節することも知られており、例えばアメリカ特許第３３５８９５１号、特開２００５−９５８７が公知である。
【先行技術文献】
【特許文献】
【０００４】
【特許文献１】アメリカ特許第３３５８９５１号
【特許文献２】特開２００５−９５８７
【考案の概要】
【考案が解決しようとする課題】
【０００５】
上記アメリカ特許第３３５８９５１号の高さ調節機構は、ネジの差込によるものであり、簡単な構造ではあるが、ネジを紛失しやすい。上記特開２００５−９５８７の高さ調節機構は構造が複雑で費用も高価なものとなる。
【０００６】
本考案は、前者と同じくらい簡単な構造でありながら、調節つまみの紛失を防止することができるようなプロジェクター台の高さ調節装置を提供することを目的とする。
【課題を解決するための手段】
【０００７】
本考案は、プロジェクターの載置台（２）と、この載置台（２）を垂直方向に支持する垂直脚（３）を有するプロジェクター台（１）の高さ調節装置であって、前記垂直脚（３）を構成する入れ子方式の第１筒（６）・第２筒（７）と、これら２本の筒を位置決めする調節つまみ機構（８）を有し、前記第１筒（６）は、少なくとも１つの穴（６１）と、調節つまみ取付台（６３）と、前記調節つまみ取付台から突出する突出筒（６５）を有し、前記突出筒（６５）の先端（６６）は小径となっており、前記第２筒（７）は複数の選択可能な穴（７１）を有し、前記調節つまみ機構（８）は、調節つまみ本体（８１）と、前記つまみ本体（８１）と前記垂直脚（３）を繋ぐ軸部（８２）を有し、前記軸部（８２）は段部（８４）を形成しており、前記段部（８４）と前記突出筒先端（６６）との間にばね（８５）が収容されており、前記軸部（８２）は前記第１筒（６）の穴（６１）と第２筒（７）の穴（７１）を貫通可能であることを特徴とする（請求項１）。
【０００８】
好ましくは、前記調節つまみ取付台（６３）は、箱型であり、第１筒（６）に固着された基礎台（６２）にかぶせてネジ（６４）で取り付けられたものである（請求項２）。
【０００９】
また、好ましくは、前記第１筒（６）と前記第２筒（７）は共に四角筒である（請求項３）。
【考案の効果】
【００１０】
本考案によれば、調節つまみを引き上げて高さ調節の後で再度固定する簡単な機構により、垂直脚の高さ調節が可能である。また、この調節つまみは抜け落ちることがないため、紛失することがない。
【００１１】
以下、添付の図面に基づき、本考案の１実施例を説明する。
【図面の簡単な説明】
【００１２】
【図１】本考案１実施例のプロジェクター台の使用時の全体斜視図である。
【図２】プロジェクター台を折り畳んだ状態の全体斜視図である。
【図３】プロジェクター台の脚部展開図である。
【図４】プロジェクター台の高さ調節機構を説明する斜視図である。
【図５】プロジェクター台の高さ調節機構を説明する断面図である。
【考案を実施するための形態】
【００１３】
図１、図２の全体斜視図に示すプロジェクター台１は、最上部にプロジェクター（図示せず）を置く載置台２がある。この載置台２は矢印で示すように角度調節が可能であり、垂直方向に延びる垂直脚３により支持されている。この垂直脚３は図２に示すように折り畳みが可能であり、Ｈ型の水平脚４により安定的に支持されている。水平脚４は各末端にキャスター５を有しており、これにより水平方向にスライド移動が可能である。
【００１４】
本考案の特徴は垂直脚３の高さ調節機構であり、それについて図３〜５に基づき説明する。
【００１５】
図３に示すように、垂直脚３は入れ子方式でスライドする２本の四角筒６，７と、これら２本の四角筒を位置決めする調節つまみ機構８からなる。この例では下側四角筒７が上側四角筒６の中に入るようにスライドする。
【００１６】
下側四角筒７は等間隔に設定された複数（ここでは４個）の丸穴７１を有する。上側四角筒６は、１個の丸穴６１及び箱型に突出する基礎台６２を有する。基礎台６２は上側四角筒６に対して溶接により固着されている。
【００１７】
この基礎台６２の上に箱型の調節つまみ取付台６３が覆いかぶさるように取り付けられ、両者はネジ６４で固定される。したがって、基礎台６２と調節つまみ取付台６３は上側四角筒６に対して固定されて移動できない。さらに調節つまみ取付台６３には調節つまみの軸部８２（後述）を収容する突出筒６５を有する。突出筒６５の先端６６は内側に曲げられて小径となっている。
【００１８】
調節つまみ機構８は、７角形の平板状つまみ本体８１と、このつまみ本体８１と垂直脚３を繋ぐ円柱状の軸部８２を有する。軸部８２は先端８３が膨らんでいるので軸部主要部との間に段部８４（図５）を形成している。この段部８４と前記突出筒先端６６との間に、コイルばね８５が収容されている。
【００１９】
垂直脚３の高さを調節する方法を図５に基づいて説明する。
【００２０】
図５（ａ）は固定状態である。調節つまみの軸部先端８３が上下四角筒の丸穴６１，７１を貫通しているので、上下四角筒６，７の位置が固定されている。この状態から調節つまみの軸部８２を（ｂ）に示すように引っ張ると、調節つまみの軸部８２先端は上下四角筒の丸穴６１，７１から引き抜かれる。このとき、上下四角筒６，７は互いに可動状態であり、コイルばね８５は圧縮状態である。
【００２１】
次に操作者が調節しようとする高さに適合した丸穴７１を４個の中から選んで上下四角筒の丸穴６１，７１がそろった位置で、調節つまみ本体８１を離す。調節つまみ本体８１及び軸部８２はコイルばね８５の復元力により前進して、上下四角筒の丸穴を貫通し、再び上下四角筒６，７の位置が固定される。
【符号の説明】
【００２２】
１     プロジェクター台
２     載置台
３     垂直脚
４     水平脚
５     キャスター
６     上側四角筒
６１   丸穴
６２   基礎台
６３   取付台
６４   ネジ
６５   突出筒
６６   突出筒先端
７     下側四角筒
７１   丸穴
８     調節つまみ機構
８１   調節つまみ本体
８２   軸部
８３   軸部先端
８４   軸部段部
【図１】
0003187562.tif 000003
【図２】
0003187562.tif 000004
【図３】
0003187562.tif 000005
【図４】
0003187562.tif 000006
【図５】
0003187562.tif 000007